(57)【要約】【課題】加熱前の水質の安全性を高めると共に、使用時の安全性に優れ、哺乳ビンに直接給湯することが可能なミルク用給湯器を提供する。【解決手段】元止め式給湯器への給水側に浄水器２０を配する。該浄水器２０で濾過した水を混合栓１０に送水する送水管２１を設ける。混合栓１０から温水器３０に給水する給水管１１を設ける。給水管１１に至る混合栓１０の給水口１２にオリフィス１３を設けて温水器３０に送水する水量を規制する。温水器３０で加熱した湯を混合栓１０から４５℃乃至５５℃の温度で給湯する。【選択図】図１
2005106383.tif 000002
【特許請求の範囲】
【請求項１】
混合栓から排出する湯を粉ミルクに直接混合するようにしたミルク専用給湯器において、元止め式給湯器への給水側に浄水器を配し、該浄水器で濾過した水を混合栓に送水する送水管と、該混合栓から温水器に給水する給水管とを設け、該給水管に至る混合栓の給水口にオリフィスを設けて温水器に送水する水量を規制し、温水器で加熱した湯を混合栓から最高温度４５℃乃至５５℃の温度で給湯することを特徴としたミルク専用給湯器。
【請求項２】
前記混合栓に、温水器からの湯量を規制するストッパーを設け、該ストッパーによる湯量調整によって給湯温度の上昇を規制する請求項１記載のミルク専用給湯器。
【請求項３】
前記温水器は、温水器内に給水された水をヒーターで６０℃乃至７５℃まで加熱する請求項１記載のミルク専用給湯器。
【発明の詳細な説明】
【技術分野】
【０００１】
本発明は、百貨店等のベビーコーナーや、公共施設、小児病棟など、乳児が集まる場所に設置するミルク専用給湯器に関する。
【背景技術】
【０００２】
乳児にミルクを与える場合、ミルクの温度は体温程度が適温とされている。そこで、ミルクをつくる通常の作業として、哺乳ビンに入れた粉ミルクを高温の湯で溶き、このミルクが適温になるまで哺乳ビンごと水で冷却して温度を調整している。ところが、このような冷却作業は多くの時間や手間を要するので、外出先のベビーコーナーや公共施設などでは不便な作業になっていた。そこで、哺乳ビンに安全に給湯することができ、冷却時間や作業を少なくする給湯器の提供が望まれていた。
【０００３】
一方、特許文献１には、麺類の湯煎に適温の熱湯を給湯する給湯器が記載されている。この給湯器は、麺類を湯煎する際に、加熱した鍋の湯で湯煎するのではなく、給湯器から排出される適温の湯で湯煎できるように設定したものである。この給湯器には先止め式の給湯器が用いられ、湯煎のために湯を出湯している間だけ加熱動作を実行する。
【特許文献１】特開２００１−１３７１１６号公報
【発明の開示】
【発明が解決しようとする課題】
【０００４】
ミルクの撹拌に適した温度の湯を給湯器から安全に給湯するためには、次の安全性に関する課題を解消する必要がある。第１に、加熱する前の水の安全性であり、第２に使用上の安全性である。
【０００５】
第１の安全性は、給湯器に給水する際の水質に関する安全性である。一般の給湯器は、給水された水を温水器のヒーターで直接加熱する構造になっている。その為、温水器から給湯される湯の水質は、給水した水の水質がそのまま反映することになる。水を６０℃まで過熱することでこの水を殺菌できるので、ミルク用の湯として使用することは可能になる。ところが、水道管の錆などの異物を温水器のヒーターで排除することはできない。したがって、給湯器から直接哺乳ビンに給湯するには、このような異物を除去する手段が必要である。また、温水器からの湯の温度を調整するために、混合栓で混合する水の水質もまた、安全でなければならない。このように、温水器で加熱する前の給水がわの水の安全性が確保される必要がある。
【０００６】
第２の使用上の安全性とは、給湯器を使用する際の安全性である。給湯器は、熱湯と水を混合栓で混合して適温としたものを蛇口から給湯する構造になっている。そこで、給湯中の混合栓をゆっくりと閉じて行くと、止水直前に高温の湯が蛇口から排出される現象が起ることが知られている。特に、元止め式の給湯器は、混合栓を閉じて水と湯の排出を同時に停止しても、温水器から蛇口に至る管路からの高温の湯がその圧力によって遅れて排出されるので、僅かであるが止水直前に高温の湯が蛇口から排出されることになる。このような現象は、混合栓の開閉操作が遅いほどより顕著になる。例えば、哺乳ビンに給湯する際に量を確かめながら少しずつ給湯するような場合に、この現象が最も生じ易くなるので、使用上の安全性に大きな課題を残していた。このように、元止め式の給湯器は、止水直前に高温の湯が蛇口から排出されるといった使用上の危険性を伴なう問題がある。したがって、ミルク専用の給湯器を提供する場合、この元止め式給湯器の使用上の安全を確保する必要があった。
【０００７】
一方、特許文献１に記載されている給湯器は、湯煎に適温の湯を直接給湯することが可能でも、前述の第１の課題である異物を除去することはできない。このように、特許文献１など従来の給湯器では、乳児が口にするミルク専用の給湯器として使用することは極めて不適当である。
【０００８】
そこで本発明は上述の課題を解消すべく創出されたもので、加熱前の水質の安全性を高めると共に、使用時の安全性に優れ、哺乳ビンに直接給湯することが可能なミルク専用給湯器の提供を目的とするものである。
【課題を解決するための手段】
【０００９】
本発明の第１の手段は、混合栓１０から排出する湯を粉ミルクに直接混合するようにしたミルク専用給湯器において、元止め式給湯器への給水側に浄水器２０を配し、該浄水器２０で濾過した水を混合栓１０に送水する送水管２１と、該混合栓１０から温水器３０に給水する給水管１１とを設け、該給水管１１に至る混合栓１０の給水口１２にオリフィス１３を設けて温水器３０に送水する水量を規制し、温水器３０で加熱した湯を混合栓１０から最高温度４５℃乃至５５℃の温度で給湯することにある。
【００１０】
第２の手段は、前記混合栓１０に、温水器３０からの湯量を規制するストッパーを設け、該ストッパーによる湯量調整によって給湯温度の上昇を規制する。
【００１１】
第３の手段の前記温水器３０は、温水器３０内に給水された水をヒーター３２で６０℃乃至７５℃まで加熱することにある。
【発明の効果】
【００１２】
本発明によると、元止め式給湯器への給水側に浄水器２０を配し、該浄水器２０で濾過した水で給湯することにより、加熱前の水質の安全性を高めることができる。
【００１３】
更に、混合栓１０の給水口１２にオリフィス１３を設けたことで、混合栓１０をゆっくりと閉じても、止水直前に高温の湯が蛇口１６から排出される現象はなくなり、使用上の安全性を確保することができる。
【００１４】
しかも、混合栓１０に温水器３０からの湯量を規制するストッパーを設け、該ストッパーによる湯量調整によっても給湯温度の上昇を規制するので、極めて安全な使用が可能になる。
【００１５】
このように本発明によると、加熱する前の水の安全性と使用上の安全性といった課題をすべて解決できたので、乳児が口にするミルクに直接給湯することが可能になったものである。
【発明を実施するための最良の形態】
【００１６】
本発明によると、混合栓１０から排出する湯を粉ミルクに直接混合するようにしたミルク専用給湯器において、元止め式給湯器への給水側に浄水器２０を配し、混合栓１０の給水管１１に至る給水口１２にオリフィス１３を設け、前記温水器３０に送水する水量を規制して、混合栓１０から最高温度４５℃乃至５５℃の温度で給湯することにより、加熱前後の水質の安全性を高めると共に、使用時の安全性に優れるといった目的を実現した。
【実施例】
【００１７】
本発明給湯器は、元止め式給湯器への給水側に浄水器２０を配したものであり、この浄水器２０で濾過した水を混合栓１０と温水器３０に送水する（図１参照）。
【００１８】
浄水器２０は、水道や井戸から送られた水をこの浄水器２０で浄化するもので、給湯器に送水する水の全てを浄化する能力を有する。そのため、浄水器２０の浄化能力は、温水器３０の容量に比例して設定するが、一般の給湯器では少なくとも３０ｔ以上の浄水能力を有するものが好適である。浄水器２０で濾過した水は、送水管２１を介して混合栓１０の主水口１４に送水される。図示の送水管２１には逆支弁２２が設けられている。
【００１９】
混合栓１０は、浄水器２０から送水された水と温水器３０から給湯された湯とを混合して、最高温度をミルク撹拌に適温の４５℃乃至５５℃に調整し、蛇口１６から排出する。排出時の最高温度設定として、粉ミルクが溶け易く、しかも手に触れても安全で、体温程度までに冷却するのが容易な５０℃に設定するのが最適である。混合栓１０の主水口１４に送水された水は、その一部を給水口１２に連結した給水管１１を介して温水器３０に給水する（図１、図２参照）。また、主水口１４に送水された残りの水は、排水口１５を経て蛇口１６から排出される際に、温水器３０からの熱湯と混合されて適温に調整され、あるいは排水口１５からの水のみを排出して哺乳ビンごとミルクを冷却するために使用される。
【００２０】
混合栓１０から温水器３０に送られた水は、温水器３０内のヒーター３２にて６０℃乃至７５℃まで加熱される。（加熱温度を６０℃以上と設定したのは、厚生労働省告示第二百六十四号「レジオネラ症を防止するために必要な措置に関する技術上の指針」に沿っている。また、７５℃までと設定したのは、元止め式給湯器における加熱時の水蒸気圧力の関係から、安全な使用範囲内での高温仕様に設定しており、最適温度は７５℃である。）その後、加熱された湯は給湯管３１から混合栓１０に戻り、混合栓１０内で水と混合されて４５℃乃至５５℃の温水に調整されて蛇口１６から排出される。混合栓１０は、温水器３０からの湯量と浄水器２０からの水量とによって４５℃乃至５５℃の温水になるように予め設定されている。
【００２１】
このとき、混合栓１０において、給水管１１に至る給水口１２にオリフィス１３を装着し、前記温水器３０に送水する水量を規制する（図２参照）。このように元止め式の温水器で、温水器３０に送水する水量を規制することで、蛇口１６から排水する湯水を止水する際に、温水器３０からの熱湯が送れて排出されるといった危険な現象を解消することができた。実験では混合栓１０において、排水口１５の水量に対して、オリフィス１３を介した給水口１２の水量を相対的に少なくすることでこの現象を解消することができた。
【００２２】
更に、混合栓１０に、温水器３０からの湯量を規制するストッパー（図示せず）を設けることで、該ストッパーによる湯量調整によっても給湯温度の上昇を規制することができる。このストッパーは、温水器３０で加熱された７５℃の熱湯が、混合栓１０の誤った操作で大量に出湯するのを予防するものである。また、図示の混合栓１０は、ハンドル１７を持ち上げたときに出湯する上げ吐水方式を採用している。この方式のハンドル１７を使用することで、何か予想されない異物がハンドル１７上に落下し、あるいは接触した場合など、不意の出湯の可能性を極力少なくすることができる。
【図面の簡単な説明】
【００２３】
【図１】本発明給湯器の一実施例を示す概略図である。
【図２】本発明混合栓のオリフィスを示す底面図である。
【図３】本発明給湯器の装着状態を示す側面図である。
【符号の説明】
【００２４】
１０  混合栓
１１  給水管
１２  給水口
１３  オリフィス
１４  主水口
１５  排水口
１６  蛇口
１７  ハンドル
２０  浄水器
２１  送水管
２２  逆支弁
３０  温水器
３１  給湯管
３２  ヒーター
【図１】
2005106383.tif 000003
【図２】
2005106383.tif 000004
【図３】
2005106383.tif 000005